(57)【要約】【課題】適切なキズ補正により高品質な画像を得ることを可能とする画像処理装置を提供すること。【解決手段】実施形態によれば、画像処理装置は、キズ判定手段であるキズ判定回路１４を有する。キズ判定手段は、注目画素の画素値と複数の周辺画素の画素値とに基づいて、注目画素がキズであるか否かを判定する。周辺画素は、注目画素と同色用の画素であって注目画素の周辺に位置する。キズ判定手段は、第１の判定手段２１と、第２の判定手段２２と、第３の判定手段２３と、を有する。第１の判定手段２１は、複数の周辺画素の画素値の最大値及び最小値と注目画素の画素値との比較によるキズ判定を実施する。第２の判定手段２２は、複数の周辺画素の画素値の照明光成分に応じたキズ判定を実施する。第３の判定手段２３は、複数の周辺画素の画素値の反射率成分に応じたキズ判定を実施する。【選択図】図６
2012028987.tif 000002
【特許請求の範囲】
【請求項１】
注目画素の画素値と、前記注目画素と同色用の画素であって前記注目画素の周辺に位置する複数の周辺画素の画素値とに基づいて、前記注目画素がキズであるか否かを判定するキズ判定手段を有し、
前記キズ判定手段は、
前記複数の周辺画素の画素値の最大値及び最小値と前記注目画素の画素値との比較によるキズ判定を実施する第１の判定手段と、
前記複数の周辺画素の画素値の照明光成分に応じたキズ判定を実施する第２の判定手段と、
前記複数の周辺画素の画素値の反射率成分に応じたキズ判定を実施する第３の判定手段と、
を有することを特徴とする画像処理装置。
【請求項２】
前記第２の判定手段は、前記注目画素の画素値と前記照明光成分との差分と、前記照明光成分の関数である閾値との比較により前記キズ判定を実施することを特徴とする請求項１に記載の画像処理装置。
【請求項３】
前記第３の判定手段は、前記注目画素の画素値と前記最大値又は前記最小値との差分と、前記反射率成分の関数である閾値との比較により前記キズ判定を実施することを特徴とする請求項１又は２に記載の画像処理装置。
【請求項４】
前記第２の判定手段は、前記複数の周辺画素の画素値の平均を前記照明光成分と推定して前記キズ判定を実施することを特徴とする請求項１から３のいずれか一項に記載の画像処理装置。
【請求項５】
前記第３の判定手段は、前記複数の周辺画素の画素値と前記照明光成分との差分の絶対値の平均を前記反射率成分と推定して前記キズ判定を実施することを特徴とする請求項１から４のいずれか一項に記載の画像処理装置。
【発明の詳細な説明】
【技術分野】
【０００１】
本発明の実施形態は、画像処理装置に関する。
【背景技術】
【０００２】
近年、携帯電話に搭載されるカメラ、デジタルカメラ等のカメラモジュールの高画素化が進行している。画素サイズの大型化により、画素の微細化も求められるようになっている。このような状況下において、正常に機能していない画素によるデジタル画像信号の欠損部分（以下、適宜「キズ」と称する）の発生が問題視されるようになっている。カメラモジュールの製造時の欠陥検査において規定より多くの画素欠陥が認められた場合は不良品として扱われることになるが、規定が厳格であるほど、カメラモジュールの歩留まりを低下させ製造コストを増加させることとなる。そこで、従来、キズ補正回路における信号処理によってキズを目立たなくする手法が積極的に採用されている。
【０００３】
キズの検出方法は、事前検出型とダイナミック検出型との二つに大別される。事前検出型は、カメラモジュールの製造後の欠陥検査によりキズを検出し、キズのアドレス情報をセンサごとに保存しておく方法である。事前検出型の方法は、主に、多層構造の欠陥、フローティングジャンクションのリーク電流等に起因するキズを補正する目的で使用される。ダイナミック検出型は、カメラモジュールの動作中にデジタル画像信号からキズを検出する方法である。ダイナミック検出型の方法は、主に、温度特性や露光時間等に依存してランダムに発生する、フォトダイオード起因のキズを補正する目的で使用される。
【０００４】
ダイナミック検出型のキズ補正回路として、例えば、注目画素の画素値とその周辺画素の画素値の最大値との差分を予め設定された閾値と比較し、キズ判定を実施するものがある。また、画像のエッジ部分では誤補正を回避するためにキズ補正をしないように制御するものがある。キズの目立ち方は、画像内でキズが生じた部分の輝度分布に応じて異なってくる。例えば、白キズは、暗部に存在すると目立ち易く、誤補正があった場合は明部ほど目立ち易くなる。輝度によらず一定の閾値が設定されている場合、画像の明暗に適するようなキズ補正を実施することは困難である。また、エッジ部分におけるキズ補正をしないように制御するものは、エッジ部分に存在するキズが目立つものであったとしても補正がなされないことが問題となる。
【先行技術文献】
【特許文献】
【０００５】
【特許文献１】特開２００８−２７８３２４号公報
【発明の概要】
【発明が解決しようとする課題】
【０００６】
本発明の一つの実施形態は、適切なキズ補正により高品質な画像を得ることを可能とする画像処理装置を提供することを目的とする。
【課題を解決するための手段】
【０００７】
本発明の一つの実施形態によれば、画像処理装置は、キズ判定手段を有する。前記キズ判定手段は、注目画素の画素値と複数の周辺画素の画素値とに基づいて、前記注目画素がキズであるか否かを判定する。前記周辺画素は、前記注目画素と同色用の画素であって前記注目画素の周辺に位置する。前記キズ判定手段は、第１の判定手段と、第２の判定手段と、第３の判定手段と、を有する。前記第１の判定手段は、前記複数の周辺画素の画素値の最大値及び最小値と前記注目画素の画素値との比較によるキズ判定を実施する。前記第２の判定手段は、前記複数の周辺画素の画素値の照明光成分に応じたキズ判定を実施する。前記第３の判定手段は、前記複数の周辺画素の画素値の反射率成分に応じたキズ判定を実施する。
【図面の簡単な説明】
【０００８】
【図１】実施形態に係る画像処理装置を備えるカメラモジュールの構成を示すブロック図。
【図２】キズ補正回路でのキズ補正の際に画素値を参照する画素について説明する概念図。
【図３】キズ補正回路の構成を示すブロック図。
【図４】水平遅延線の構成を示すブロック図。
【図５】探索回路の構成を示す概念図。
【図６】キズ判定回路の構成を示すブロック図。
【図７】キズ補正回路によるキズ判定及びキズ補正の手順を説明するフローチャート。
【図８】照明光成分と第１の閾値との関係の例を表した図。
【図９】反射率成分と第２の閾値との関係の例を表した図。
【図１０】注目画素の画素値及び周辺画素の画素値の分布とキズ判定との関係を説明する図。
【発明を実施するための形態】
【０００９】
以下に添付図面を参照して、実施形態にかかる画像処理装置を詳細に説明する。なお、この実施形態により本発明が限定されるものではない。
【００１０】
（実施形態）
図１は、実施形態に係る画像処理装置４を備えるカメラモジュールの構成を示すブロック図である。カメラモジュールは、撮像レンズ１、センサ部２、アナログデジタル変換器（ＡＤＣ）３及び画像処理装置４を有する。撮像レンズ１は、被写体からの光を取り込み、センサ部２に結像させる。
【００１１】
センサ部２は、撮像レンズ１によって取り込まれた光を信号電荷に変換することにより、被写体像を撮像する。センサ部２は、Ｒ、Ｇ、Ｂの信号レベルをベイヤー配列に対応する順序で取り込み、取り込んだアナログ画像信号を、外部から指定された撮像条件に応じたゲインにて順次増幅して出力する。ＡＤＣ３は、センサ部２からのアナログ画像信号をデジタル画像信号に変換する。
【００１２】
画像処理装置４は、ＡＤＣ３からのデジタル画像信号に対して画像処理を実施する。画像処理装置４に設けられたキズ補正回路５は、キズ補正を実施する。この他、画像処理装置４は、種々の画像処理、例えば、デモザイキング、ホワイトバランス調整、ガンマ処理等を実施する。
【００１３】
図２は、キズ補正回路５でのキズ補正の際に画素値を参照する画素について説明する概念図である。ベイヤー配列は、Ｇｒ、Ｒ、Ｇｂ、Ｂの４画素を単位として構成されている。画像信号は、ラインごと（Ｇｒ／Ｒライン、Ｇｂ／Ｂライン）の信号としてキズ補正回路５へ入力される。
【００１４】
キズ補正回路５は、垂直方向に５ライン（Ｌ１〜Ｌ５）、水平方向に５画素のマトリクスをなす２５画素のうち中心の画素ｐ３３を、キズ判定及びキズ補正の対象である注目画素と設定する。キズ補正回路５は、注目画素ｐ３３の画素値と、８個の周辺画素ｐ１１、ｐ１３、ｐ１５、ｐ３１、ｐ３５、ｐ５１、ｐ５３、ｐ５５の画素値とに基づいて、キズ判定及びキズ補正を実施する。周辺画素は、注目画素と同色用の画素であって注目画素の周辺に位置する画素とする。キズ補正回路５は、同色用の垂直方向３画素及び水平方向３画素（３×３）のカーネルとして、信号処理を実施する。
【００１５】
図３は、キズ補正回路５の構成を示すブロック図である。キズ補正回路５は、ラインメモリ１１、水平遅延線１２、探索回路１３、キズ判定回路（キズ判定手段）１４及びセレクタ１５を有する。ラインメモリ１１は、４ライン（４Ｈ）の信号を保持し、垂直方向の遅延（ライン遅延）を施す。ラインメモリ１１は、保持している４ライン（Ｌ１、Ｌ２、Ｌ３、Ｌ４）と、本線の１ライン（Ｌ５）との合計５ラインのうち、注目画素及び周辺画素を含む３ライン（Ｌ１、Ｌ３、Ｌ５）の信号を水平遅延線１２へ出力する。
【００１６】
図４は、水平遅延線１２の構成を示すブロック図である。フリップフロップ（ＦＦ）は、画素ごとの信号レベルを保持する。水平遅延線１２は、ラインごとに４画素の信号を保持し、水平方向の遅延を施す。水平遅延線１２は、注目画素及び８個の周辺画素についての信号を同時刻化する。水平遅延線１２は、注目画素についての信号をキズ判定回路１４及びセレクタ１５へ出力する。水平遅延線１２は、周辺画素についての信号を探索回路１３へ出力する。探索回路１３は、周辺画素の画素値の最大値及び最小値を探索する。
【００１７】
図５は、探索回路１３の構成を示す概念図である。図中の円は、二つの入力信号のレベルを比較する比較器を表し、円の左側へ入る方向を指す矢印は入力信号、円の右側から出る方向を指す矢印は出力信号を表すものとする。また、一つの比較器からの出力信号を示す二つの矢印のうち、上段はレベルが大きいほうの出力信号、下段はレベルが小さいほうの出力信号を表すものとする。
【００１８】
探索回路１３は、探索木の１段目で２画素×４組の画素値を比較し、大きいほうを探索木の上位へ、小さいほうを探索木の下位へ移動させ、２段目でも同様の処理を繰り返す。探索回路１３は、探索木の３段目において最上位の２画素と最下位の２画素とでそれぞれ画素値を比較することにより、探索結果である最大値Ｐｍａｘ及び最小値Ｐｍｉｎを得る。
【００１９】
図６は、キズ判定回路１４の構成を示すブロック図である。キズ判定回路１４は、注目画素の画素値と周辺画素の画素値とに基づいて、注目画素がキズであるか否かを判定する。キズ判定回路１４は、第１の判定手段２１、第２の判定手段２２及び第３の判定手段２３を有する。
【００２０】
従来提唱されているＲｅｔｉｎｅｘ理論は、カメラが画素ごとの物理的な光量によって輝度を決定するのに対して、人間の視覚系は、照明光などを除去して、領域ごとの相対化された輝度比を知覚するというモデルである。この理論では、目に入る光は、物体に照射された照明光の成分と、照明に依存しない物体固有の反射率による成分とへ分解が可能とされている。Ｒｅｔｉｎｅｘ理論によると、画素値Ｉは、式（１）に示すように、照明光成分Ｌと反射率成分Ｒとの積によってモデル化される。
Ｉ＝Ｌ×Ｒ      （１）
【００２１】
照明光成分Ｌは、被写体に照射された照明光の成分である。反射率成分Ｒは、照明に依存しない被写体固有の画像成分である。本実施形態のキズ判定回路１４は、照明光成分Ｌと反射率成分Ｒとに応じたキズ判定を実施する。
【００２２】
第１の判定手段２１は、周辺画素の画素値の最大値Ｐｍａｘ及び最小値Ｐｍｉｎと注目画素の画素値との比較によるキズ判定を実施する。第２の判定手段２２は、８個の周辺画素の画素値の照明光成分Ｌに応じたキズ判定を実施する。第３の判定手段２３は、８個の周辺画素の画素値の反射率成分Ｒに応じたキズ判定を実施する。
【００２３】
図７は、キズ補正回路５によるキズ判定及びキズ補正の手順を説明するフローチャートである。キズ判定の対象となるキズには、画素の輝度が正常に機能する場合より低くなる、いわゆる黒キズと、画素の輝度が正常に機能する場合より高くなる、いわゆる白キズと、がある。ここでは、注目画素が白キズであるか否かを判定する場合を例として説明する。
【００２４】
第１の判定手段２１は、注目画素の画素値Ｐａと最大値Ｐｍａｘとを比較する（ステップＳ１）。第１の判定手段２１は、注目画素と８個の周辺画素との中で、注目画素の画素値Ｐａが最大であるか否かを判定する。注目画素の画素値Ｐａが最大値Ｐｍａｘ以下である場合（ステップＳ１、Ｎｏ）、キズ判定回路１４は、注目画素がキズではないと判定し、処理を終了する。例えば、注目画素が白キズであっても画素値Ｐａが最大値Ｐｍａｘ以下である場合、キズ補正回路５は、そのキズは目立たないものとして、キズ補正の対象外として扱う。
【００２５】
注目画素の画素値Ｐａが最大値Ｐｍａｘより大きい場合（ステップＳ１、Ｙｅｓ）、第２の判定手段２２は、画素値Ｐａ及び照明光成分Ｌの差分Ｐａ−Ｌと、第１の閾値Ｔｈ１（Ｌ）とを比較する（ステップＳ２）。第２の判定手段２２は、例えば、８個の周辺画素の画素値の平均を照明光成分Ｌと推定して、キズ判定を実施する。これにより、第２の判定手段２２は、簡易な演算によって得られた照明光成分Ｌを用いて、キズ判定を実施できる。なお、照明光成分Ｌの推定値としては、複数の周辺画素の画素値の平均を用いる場合に限られず、いずれの手法によって得た値であっても良いものとする。
【００２６】
図８は、照明光成分Ｌと第１の閾値Ｔｈ１（Ｌ）との関係の例を表した図である。第１の閾値Ｔｈ１（Ｌ）は、照明光成分Ｌの関数であって、照明光成分Ｌに対応して変化する値とする。第１の閾値Ｔｈ１（Ｌ）は、例えばＬγのようなガンマ関数や、ａ×Ｌ＋ｂのような線形関数など、いずれの関数であっても良いものとする。第２の判定手段２２は、第１の閾値Ｔｈ１（Ｌ）に照明光成分Ｌを代入して得た値を、差分Ｐａ−Ｌとの比較に使用する。第１の閾値Ｔｈ１（Ｌ）は、例えば、ルックアップテーブル（ＬＵＴ）を参照して得られる値であっても良いものとする。
【００２７】
差分Ｐａ−Ｌが第１の閾値Ｔｈ１（Ｌ）以下である場合（ステップＳ２、Ｎｏ）、キズ判定回路１４は、注目画素がキズではないと判定し、処理を終了する。差分Ｐａ−Ｌが第１の関数Ｔｈ１（Ｌ）より大きい場合（ステップＳ２、Ｙｅｓ）、第３の判定手段２３は、注目画素の画素値Ｐａ及び最大値Ｐｍａｘの差分Ｐａ−Ｐｍａｘと、第２の閾値Ｔｈ２（Ｒ）とを比較する（ステップＳ３）。第２の閾値Ｔｈ２（Ｒ）は、反射率成分Ｒの関数であって、反射率成分Ｒに対応して変化する値とする。
【００２８】
第３の判定手段２３は、例えば、以下の式（２）に示すように、８個の周辺画素ｐ１１・・・ｐ５５の各画素値と照明光成分Ｌとの差分（偏差）の絶対値の相加平均を反射率成分Ｒと推定して、キズ判定を実施する。
Ｒ＝｛｜Ｌ−（ｐ１１の画素値）｜＋・・・｜Ｌ−（ｐ５５の画素値）｜｝／８      （２）
【００２９】
これにより、第３の判定手段２３は、簡易な演算によって得られた反射率成分Ｒを用いて、キズ判定を実施できる。式（２）による反射率成分Ｒの推定は、式（１）を基にする演算（Ｒ＝Ｉ／Ｌ）によって反射率成分Ｒを算出する場合に比べると、除算のための回路が不要となる分、実装上有利となる。なお、反射率成分Ｒの推定値は、式（２）によって得られる値に限られず、いずれの手法によって得た値であっても良いものとする。反射率成分Ｒは、エッジ成分と等価とみなすことが可能である。反射率成分Ｒの推定値は、エッジ成分として採用し得る値、例えば、周辺画素の画素値の最大値Ｐｍａｘ及び最小値Ｐｍｉｎの差分としても良い。
【００３０】
図９は、反射率成分Ｒと第２の閾値Ｔｈ２（Ｒ）との関係の例を表した図である。第２の閾値Ｔｈ２（Ｒ）は、例えば、ａ×Ｌ＋ｂのような線形関数など、いずれの関数であっても良いものとする。第３の判定手段２３は、第２の閾値Ｔｈ２（Ｒ）に反射率成分Ｒを代入して得た値を、差分Ｐａ−Ｐｍａｘとの比較に使用する。第２の閾値Ｔｈ２（Ｒ）は、例えば、ルックアップテーブル（ＬＵＴ）を参照して得られる値であっても良いものとする。
【００３１】
差分Ｐａ−Ｐｍａｘが第２の閾値Ｔｈ２（Ｒ）以下である場合（ステップＳ３、Ｎｏ）、キズ判定回路１４は、注目画素がキズではないと判定し、処理を終了する。差分Ｐａ−Ｐｍａｘが第２の閾値Ｔｈ２（Ｒ）より大きい場合（ステップＳ３、Ｙｅｓ）、キズ判定回路１４は、注目画素が白キズであると判定する。注目画素がキズである旨をキズ判定回路１４が判定した場合、キズ補正回路５は、キズ補正を実施し（ステップＳ５）、処理を終了する。
【００３２】
キズ補正回路５は、注目画素がキズであると判定した場合、注目画素の画素値を切り替え元となる画素（以下、切り替え元画素と称する）の画素値に切り替えることで、キズ補正を施す。注目画素が白キズである場合、切り替え元画素の画素値には、例えば最大値Ｐｍａｘが採用される。セレクタ１５は、キズ判定回路１４によるキズ判定の結果に応じて、水平遅延線１２から入力された注目画素の画素値と、キズ判定回路１４から入力された切り替え元画素の画素値と、のいずれかを選択して出力する。
【００３３】
キズ判定回路１４は、注目画素がキズであると判定した場合、注目画素の画素値を切り替える旨の切り替え信号をセレクタ１５へ出力する。セレクタ１５は、画素値を切り替える旨の切り替え信号に応じて、切り替え元画素の画素値を選択して出力する。切り替え信号による画素値の切り替えの指示が無ければ、セレクタ１５は、注目画素の画素値を選択して出力する。
【００３４】
キズ判定回路１４は、第３の判定手段２３によるキズ判定を実施することで、例えば空間周波数が高い領域において、キズではない画素をキズであると判定する誤判定を低減させることとしている。キズ補正回路５での誤判定による誤補正を低減可能とすることで、画像処理装置４は、解像度の劣化を少なくすることができる。また、エッジ部分でのキズ補正を一律に行わないとする制御を実施する場合に対して、本実施形態では、エッジ部分に生じた目立つキズの補正が可能となる。
【００３５】
図１０は、注目画素の画素値Ｐａ及び周辺画素の画素値Ｐｂの分布とキズ判定との関係を説明する図である。図１０の（ａ）、（ｂ）、（ｃ）は、いずれも横軸を輝度［ＬＳＢ］として、横軸方向における縦線の位置が、各画素の画素値及び照明光成分Ｌの輝度を表すものとする。照明光成分Ｌは、周辺画素の画素値Ｐｂの平均値とする。ここでは、白キズの判定の場合を例とする。
【００３６】
図１０の（ａ）は、差分Ｐａ−Ｌが第１の閾値Ｔｈ１（Ｌ）より大きく、かつ差分Ｐａ−Ｐｍａｘが第２の閾値Ｔｈ２（Ｒ）より大きい場合を表している。周辺画素の画素値Ｐｂは、狭い輝度範囲に分布している。画素値Ｐｂが狭い輝度範囲に分布するほど、反射率成分Ｒ及び第２の閾値Ｔｈ２（Ｒ）は小さい値となる。注目画素の画素値Ｐａは、周辺画素の画素値Ｐｂが分布する輝度範囲から高輝度側に大きく離れている。このケースでは、キズ判定回路１４は、注目画素は白キズであると判定する。本ケースにおいてキズ判定回路１４がキズである旨の判定をなすことで、キズ補正回路５は、輝度変化が少ない部分に生じた目立つキズを適切に補正することができる。
【００３７】
図１０の（ｂ）は、（ａ）に示す場合と注目画素の画素値Ｐａ及び照明光成分Ｌが同等であるのに対して、周辺画素の画素値Ｐｂが広い輝度範囲に分布している場合を表している。差分Ｐａ−Ｐｍａｘは、第２の閾値Ｔｈ２（Ｒ）より小さいものとする。画素値Ｐｂが広い輝度範囲に分布するほど、反射率成分Ｒ及び第２の閾値Ｔｈ２（Ｒ）は大きい値となる。注目画素の画素値Ｐａは、周辺画素の画素値Ｐｂが分布する輝度範囲から高輝度側に少しだけ離れている。このケースでは、キズ判定回路１４は、注目画素は白キズではないと判定する。本ケースにおいてキズ判定回路１４がキズではない旨の判定をなすことで、キズ補正回路５は、例えば、注目画素がエッジの一部である場合の誤補正を抑制可能となる。
【００３８】
図１０の（ｃ）は、（ｂ）に示す場合と周辺画素の画素値Ｐｂの分布、照明光成分Ｌ、反射率成分Ｒが同等であるのに対して、注目画素の画素値Ｐａが周辺画素の画素値Ｐｂの輝度範囲から高輝度側に大きく離れている場合を表している。差分Ｐａ−Ｌは第１の閾値Ｔｈ１（Ｌ）より大きく、かつ差分Ｐａ−Ｐｍａｘは第２の閾値Ｔｈ２（Ｒ）より大きいものとする。このケースでは、キズ判定回路１４は、注目画素は白キズであると判定する。本ケースにおいてキズ判定回路１４がキズである旨の判定をなすことで、キズ補正回路５は、例えば、エッジ部分に現れた目立つキズを適切に補正することが可能となる。
【００３９】
キズ補正回路５は、キズ判定に使用する閾値として、照明光成分Ｌに応じた第１の閾値Ｔｈ１（Ｌ）と反射率成分Ｒに応じた第２の閾値Ｔｈ２（Ｒ）とを採用することで、画像の明暗や周波数特性に適したキズ補正の実施が可能となる。キズ補正回路５は、目視上目立つと推定されるキズを効果的に補正するとともに、誤補正による解像度劣化を抑制することができる。例えば白キズの場合は、画像のうち輝度が低い部分ほど目立ち易くなる。キズ補正回路５は、白キズについては、暗部で閾値を下げることでキズを検出し易くするとともに、明部では閾値を上げることで誤補正を防止することが可能となる。画像処理装置４は、キズ補正回路５での適切なキズ補正により高品質な画像を得ることが可能となる。
【００４０】
例えば、ジーメンススターチャートにキズを付加した画像について本実施形態を適用した場合に、エッジ部分におけるキズ補正をキャンセルする従来技術の場合と周波数特性の差は少ないことが確認されている。本実施形態のキズ補正回路５は、従来技術と同程度に誤補正の抑制が可能である。
【００４１】
キズ判定回路１４は、注目画素が黒キズであるか否かの判定の場合も、輝度の大小を逆とする以外は、白キズの判定の場合と同様の手順とする。黒キズ判定の場合、第１の判定手段２１は、注目画素の画素値Ｐａと周辺画素の画素値の最小値Ｐｍｉｎとを比較する。注目画素の画素値Ｐａが最小値Ｐｍｉｎより小さい場合、第２の判定手段２２は、照明光成分Ｌ及び画素値Ｐａの差分Ｌ−Ｐａと、第１の閾値Ｔｈ１（Ｌ）を比較する。第３の判定手段２３は、最小値Ｐｍｉｎ及び注目画素の画素値Ｐａの差分Ｐｍｉｎ−Ｐａと、第２の閾値Ｔｈ２（Ｒ）とを比較する。キズ補正回路５は、注目画素が黒キズであると判定した場合、注目画素の画素値を例えば最小値Ｐｍｉｎに切り替える。
【００４２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４３】
４  画像処理装置、５  キズ補正回路、１４  キズ判定回路、１５  セレクタ、２１  第１の判定手段、２２  第２の判定手段、２３  第３の判定手段、Ｌ  照明光成分、Ｒ  反射率成分、Ｔｈ１（Ｌ）  第１の閾値、Ｔｈ２（Ｒ）  第２の閾値。
【図１】
2012028987.tif 000003
【図２】
2012028987.tif 000004
【図３】
2012028987.tif 000005
【図４】
2012028987.tif 000006
【図５】
2012028987.tif 000007
【図６】
2012028987.tif 000008
【図７】
2012028987.tif 000009
【図８】
2012028987.tif 000010
【図９】
2012028987.tif 000011
【図１０】
2012028987.tif 000012